【事件の表示】
　特願２０００−３０２５９０「遊技機」拒絶査定不服審判事件〔平成１４年　４月　９日出願公開、特開２００２−１０２４９１〕について、次のとおり審決する。
【結　論】
　本件審判の請求は、成り立たない。
【理　由】
第一、手続きの経緯
　本願は、平成１２年１０月２日の出願であって、平成１４年１０月１１日付けで拒絶理由が通知され、これに対し、平成１４年１２月２４日付けで手続補正がなされ、平成１５年９月２４日付けで拒絶査定がなされ、これに対し、同年１１月５日に拒絶査定に対する審判請求がなされるとともに、同年１２月４日付け手続補正書によって明細書の一部が補正されたものである。
　
第二、平成１５年１２月４日付けの手続補正について
　平成１５年１２月４日付けの手続補正書による補正（以下「本件補正」という。）は、本件補正前（平成１４年１２月２４日付けの手続補正書による補正）の特許請求の範囲の請求項１を削除し、本件補正前の請求項２に記載された発明を特定するために必要な事項である「電源基板と払出制御基板」を「貸出し用部分に含まれる電源基板と払出制御基板」と補正するとともに、本件補正前の請求項２乃至５を、それぞれ、本件補正後の請求項１乃至４とするものと認められるので、平成１５年改正前特許法第１７条の２第４項第１号及び第４号に掲げる請求項の削除及び明りようでない記載の釈明を目的とするものであるから、当該補正を認める。
　
第三、本願発明
　本願の請求項１乃至４に係る発明は、上記平成１５年１２月４日付けで補正された明細書の記載からみて、その特許請求の範囲の請求項１乃至４に記載されたとおりのものと認められるところ、その請求項１に記載された発明は次のとおりのものである。
　「遊技者による遊技結果に対応した価値媒体を払い出す遊技機であって、前記遊技機を、遊技盤及びこの背面側に固定された付属部材からなり新機種導入時に取り替えられる販売用部分と、それ以外の貸出用部分とで構成し、
　前記付属部材として、遊技機各部の動作を中心的に制御する主制御基板と、液晶ディスプレイを駆動する図柄制御基板と、各種のランプやＬＥＤを駆動するランプ制御基板と、スピーカを駆動する音声制御基板とを設け、
　前記貸出し用部分に含まれる前枠には、前記遊技盤が装着される開口窓が設けられると共に、裏機構部がヒンジ結合によって開放可能に装着され、
　前記貸出し用部分に含まれる電源基板と払出制御基板とが前記裏機構部の下部に装着されたケースの内部に隣接して配設され、前記裏機構部全体が、前記遊技盤の裏側に押し付けられて固定されることによって、前記遊技盤が前記前枠の開口窓に固定されるようになっていることを特徴とする遊技機。」（以下「本願発明」という）
　
第四、刊行物に記載された発明
刊行物１；特開２０００−９３６２１号公報（平成１２年４月４日公開）
刊行物２；特開２０００−２６２７０８号公報
　　　　　　（平成１２年９月２６日公開）
刊行物３；特開２０００−１６７１９５号公報
　　　　　　（平成１２年６月２０日公開）
刊行物４；特開２０００−２０２１３１号公報
　　　　　　（平成１２年７月２５日公開）
刊行物５；特開昭６２−１８３７７９号公報
刊行物６；特開２０００−２４５９３８号公報
　　　　　　（平成１２年９月１２日公開） 
刊行物７；特開平８−７１２３１号公報
　
　原査定の拒絶理由通知に引用された特開２０００−９３６２１号公報（以下、「引用刊行物１」という）には、以下の記載がある。
　「【０００１】
【発明の属する技術分野】本発明は、遊技動作を制御する遊技制御基板を収容する遊技制御基板ボックスと、遊技動作に応じた効果音を発生制御する効果音制御基板を収容する効果音制御基板ボックスと、遊技機を電気的に装飾する電飾部品を表示制御する電飾制御基板を収容する電飾制御基板ボックスと、を備えた遊技機に関するものである。」
　「【００１１】図１及び図２において、弾球遊技機１は、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられるガラス板保持枠４とから構成されている。また、前面枠３に設けられる主要構成部としては、上記したガラス板保持枠４、遊技盤４０、上皿１９、灰皿２９を含む下皿２７、操作ハンドル３０、機構板１５０、打球発射装置１２４がある。・・・
【００１２】ガラス板保持枠４には、後述する遊技盤４０の遊技領域４１をほぼ透視し得る円形透視窓５が開設され、該円形透視窓５の裏面からガラス板が装着されている。また、ガラス板保持枠４には、円形透視窓５の外周に沿って、装飾ランプ６〜８が設けられ、中央の装飾ランプ７の上部に装飾ＬＥＤ１１が設けられている。この装飾ランプ６〜８及び装飾ＬＥＤ１１は、遊技状態に応じて点灯又は点滅されるものであり、特別の遊技状態の発生時や継続時を遊技者に報知すると共に遊技の雰囲気を盛り上げるものである。また、ガラス板保持枠４の軸支側上部には、払い出すべく賞球が不足したこと・・・を報知する玉切れランプ９・・・や、入賞玉の発生に基づいて所定個数の賞球が払い出されたことを報知する賞球ランプ１０が設けられ、更に、ガラス板保持枠４の上部左右に遊技の進行に応じた効果音を発生するスピーカ１２ａ，１２ｂが設けられている。また、スピーカ１２ａ，１２ｂの周囲には、装飾ＬＥＤ１３，１４が設けられている。
【００１３】上記した装飾ランプ６〜８、玉切れランプ９、賞球ランプ１０、装飾ＬＥＤ１１，１３，１４は、図５に示すように、それぞれプリント配線基板で構成されるランプ基板６ａ，７ａ，８ａ，９ａ，１０ａやＬＥＤ基板１１ａ，１３ａ，１４ａに実装されて前面枠３の前面側やガラス板保持枠４の裏面側に取り付けられている。そして、各ランプ基板６ａ，７ａ，８ａ，９ａ，１０ａが電飾中継基板１５（図５において電飾中継基板Ｂと表示）に接続され、各ＬＥＤ基板１１ａ，１３ａ，１４ａが電飾中継基板１６（図５において電飾中継基板Ｃと表示）に接続されている。電飾中継基板１５，１６は、後述する遊技制御基板としての主基板１２０からの情報信号の種類に応じて上記した装飾ランプ６〜８、玉切れランプ９、賞球ランプ１０、装飾ＬＥＤ１１，１３，１４を表示制御する電飾制御基板８７に接続されている。・・・」　
　「【００２１】以上で、弾球遊技機１の全体の概略構成を説明したが、以下、弾球遊技機１を構成する要素のうち、遊技盤４０と、機構板１５０の詳細な構成について順次説明する。
【００２２】まず、図１及び図２を参照して遊技盤４０について説明する。遊技盤４０の正面構造について図１を参照して説明する。遊技盤４０は、前面枠３の裏面側に一体的に形成される遊技盤収納枠３８に収納固定されるべく、ほぼ正方形状の合板により形成され、その表面には、円形うず巻き状に誘導レール４２が取り付けられ、該誘導レール４２の内側が遊技領域４１とされて発射された打玉が落下するものである。・・・」
　「【００２９】一方、遊技盤４０の裏面には、図２に示すように、前記特別可変表示装置４４のドラム式可変表示部材を収納するドラム収納ボックス６８が突出して設けられている。このドラム収納ボックス６８には、ドラム式可変表示部材と該ドラム式可変表示部材を回転駆動するステッピングモータとドラム式可変表示部材の絵柄を後方から照明する照明ランプとからなるドラムユニットが複数個収納固定され、また、ドラム収納ボックス６８の裏面には、内部で発生した熱を外部に放熱する放熱板６９が止着されている。この放熱板６９の裏面には、内部に表示制御基板７１を収納する表示制御基板ボックス７０が取り付けられている。表示制御基板７１は、特別可変表示装置４４のドラム式可変表示部材及び普通可変表示装置５７の普通可変表示器５９の可変表示動作を主基板１２０からの情報信号の種類に応じて駆動制御するものである。・・・
【００３０】上記したドラム収納ボックス６８の下部を除く周囲には、特別可変表示装置４４の上方に位置する入賞口（本実施形態では、入賞口４７）に入賞した入賞玉を誘導する誘導通路がその前面に形成される第１入賞玉集合カバー体６５が取り付けられ、この第１入賞玉集合カバー体６５に連通するようにその下部に第２入賞玉集合カバー体６６が取り付けられている。」　
　「【００３２】また、第２入賞玉集合カバー体６６の後面側には、その内部に電飾制御基板８７を収容する電飾制御基板ボックス８６、その内部に遊技制御基板としての主基板１２０を収容する主基板ボックス１１０、及びその内部に効果音制御基板９５を収納する効果音制御基板ボックス９４が着脱自在に取り付けられる取付部材としての取付台７８が第２入賞玉集合カバー体６６の後面に突設される取付台軸受部材７５（図３参照）に着脱自在に取り付けられている。主基板１２０は、主として遊技動作を制御するものであるが、本実施形態においては、遊技動作だけでなく弾球遊技機１に設けられる各種の制御基板に対して各種の情報信号を出力するようになっている。そして、各種の制御基板は、主基板１２０から受けた情報信号の種類に応じた制御を行うようになっている。この点については、後に詳述する。電飾制御基板８７は、図５に示すように、遊技盤４０の遊技領域４１・・・に設けられる飾りランプや飾りＬＥＤ、及び前面枠３やガラス板保持枠４に設けられる飾りランプや飾りＬＥＤ等を主基板１２０からの情報信号に応じて一括して駆動制御するものである。また、効果音制御基板９５は、前記スピーカ１２ａ，１２ｂを駆動制御するものであり、主基板１２０からの情報信号に応じて遊技内容に対応した効果音を発生させるものである。・・・」
　「【００４４】以上、説明したように、本実施形態においては、遊技動作を制御する主基板１２０（遊技制御基板）を収容する主基板ボックス１１０（遊技制御基板ボックス）と、遊技動作に応じた効果音を発生制御する効果音制御基板９５を収容する効果音制御基板ボックス９４と、弾球遊技機１を電気的に装飾する電飾部品を表示制御する電飾制御基板８７を収容する電飾制御基板ボックス８６と、を備えた弾球遊技機１において、前記主基板ボックス１１０と効果音制御基板ボックス９４と電飾制御基板ボックス８６とを相互に分離可能な状態で且つ一括して取り付けたり取り外したりすることができるように１つの取付台７８（取付部材）によって第２入賞玉集合カバー体６６（所定の部位）に着脱自在に取り付けたことにより、組立時において取付台７８を取り付けることにより３つの基板ボックス１１０，９４，８６を一括して同時に取り付けることができるため、その作業性が容易となり、また、基板１２０，９５，８７の交換時においても、取付台７８の脱着により３つの基板ボックス１１０，９４，８６を一括して同時に取り外し再度一括して同時に取り付けることができるので、その作業性が容易となる。・・・」　
　「【００４８】以上、遊技盤４０の構成について詳細に説明してきたが、上記のように構成される遊技盤４０は、前面枠３の裏面側に形成される遊技盤収納枠３８に収納固定されるようになっている。遊技盤収納枠３８は、周知のように、ほぼ正方形状に構成される遊技盤４０を収納するように前面枠３の裏面に段差状に形成され、収納した遊技盤４０の裏面を押圧固定するための遊技盤係止レバー１２３が遊技盤収納枠３８の適宜箇所に取り付けられている。・・・また、遊技盤４０を遊技盤係止レバー１２３によって収納固定した状態においては、その裏面から機構板１５０が被覆されることとなるが、その機構板１５０は、遊技盤収納枠３８の一側側面に固定される軸受金具３６の上下に突設される軸ピン３７に機構板１５０の一側に固定される軸支金具１９５の掛止穴を係止することにより、開閉自在に軸支され、また、遊技盤収納枠３８の適宜位置に植立される係止ピン（図示しない）と機構板１５０に設けられる機構板係止レバー１９６とを係合させることにより、機構板１５０を閉じた状態で保持することができるようになっている。
【００４９】次に、弾球遊技機１の背面に設けられる機構板１５０の構成について図２を参照して説明する。図２において、機構板１５０は、・・・とが設けられる上部構成部と、・・・とが設けられる中間構成部と、主として遊技盤４０に打ち込まれた入賞玉を含む打玉を処理する処理機構が設けられる下部構成部と、が背面から見てコ字型開口窓１５２を構成するように機構板主体１５１上に一体的に形成されている。・・・
【００５０】そこで、以下、機構板１５０の構成について、各構成部毎に説明する。まず、上部構成部には、・・・と、該カーブレール部材１６７の上方に設けられた電源ユニットボックス１５９がそれぞれ所定の位置に設けられている。」　
　「【００５３】上記した玉整列レール部材１５７の下流側上部には、電源ユニットボックス１５９が取り付けられている。この電源ユニットボックス１５９は、内部に電源ユニット基板１６０（図５参照）を収容するものであり、その電源ユニット基板１６０には、電源スイッチ１６１、外部からの電源コード１６２ａが接続される電源コネクタ１６２、各制御基板に直流電源などを供給するための電気素子が設けられる。・・・」　
　「【００５７】次に、中間構成部の構成について説明する。・・・」　
　「【００６１】以上で、機構板１５０の中間構成部についての説明を終了し、次に、機構板１５０の下部構成部について図２を参照して簡単に説明すると、・・・」　
　「【００６７】上記した処理装置収容空間部を避けた隣接位置には、払出制御基板１９１を内蔵する払出制御基板ボックス１９０が取り付けられている。払出制御基板１９１は、前記主基板１２０からの情報信号に基づいて賞球の払出動作を行うと共に球貸要求信号に基づいて貸玉の払出動作を行うものである。その他、貸玉に係る制御は、主基板１２０に拘束されることなく払出制御基板１９１で独自に実行するようになっている。・・・
【００６８】なお、図２に示す表示制御基板ボックス７０、電飾制御基板ボックス８６、効果音制御基板ボックス９４、主基板ボックス１１０、及び払出制御基板ボックス１９０は、その一部又は全部を透明の合成樹脂によって内部が透視し得るように構成されていると共に放熱穴が形成されている。また、効果音制御基板ボックス９４は、ＲＯＭ（特に、効果音データを記憶しているＲＯＭ）さえ交換すれば簡単にリサイクルが可能である。また、表示制御基板ボックス７０、電飾制御基板ボックス８６もその盤面構成、ランプ等の数を変えなければ、同様にＲＯＭを交換することによりリサイクル可能である。つまり、遊技盤４０の入れ替え時にそれらボックスごと回収し、ＲＯＭを取り出して書き換え又は交換すれば、異なる内容の新しい機種用のものとすることができるので、その新しい機種の入れ替えの際にＲＯＭだけを変えた各種の制御ボックスを再び納品して再利用することができる。
【００６９】以上、弾球遊技機１の構成、遊技盤４０の構成、及び機構板１５０の概略構成について説明してきたが、機構板１５０や遊技盤４０に設けられる各種の制御基板との相互の関係、及び各種制御基板と機構板１５０，遊技盤４０，前面枠３及びガラス板保持枠４に設けられる電気的部品との関係について図５及び図６を参照して詳細に説明する。図５は、主基板１２０と各種制御基板及び電気部品との関係を示すブロック図であり、図６は、払出制御基板と各種制御基板及び電気部品との関係を示すブロック図である。」
　「【００７１】上記した入力信号のうち、遊技盤４０に設けられる各スイッチ５１，５２，５６，５８からの入力信号に基づいて主基板１２０は、遊技盤４０に設けられるソレノイド５０，５５、記憶表示ＬＥＤ４６，６０、回数個数表示器５３等を駆動制御すると共に、遊技状態に応じた電飾信号を電飾制御基板８７に出力し、遊技状態に応じた効果音信号を効果音制御基板９５に出力し、更に、大当り表示制御信号あるいはリーチ表示制御信号又は外れ表示制御信号を表示制御基板７１に出力し、情報端子基板７４に各種の遊技情報を出力する。電飾制御基板８７は、主基板１２０から入力される電飾信号の種類に応じて飾りランプ６２，６〜１０、飾りＬＥＤ６３，１１，１３，１４を表示駆動制御し、効果音制御基板９５は、主基板１２０から入力される効果音信号の種類に応じてスピーカ１２ａ，１２ｂを駆動制御する。また、表示制御基板７１は、主基板１２０から入力される表示制御信号の種類に応じて図柄表示器４４，５９の表示結果を導出するように制御する。」　
　「【００８５】以上、説明した各種の制御基板１２０，１９１，７１，８７，９５，１２６には、電源ユニット基板１６０からの電源配線を中継する電源中継基板１６３から所望の電源が入力されるように接続されている。ただし、表示制御基板７１への電源の供給は、電源中継基板１６３ではなく電飾制御基板８７を介して供給されるようになっている。これは、特別可変表示装置として使用されるものが本実施形態のようにドラム式可変表示部材である場合と電気的な可変表示部材（液晶又はＣＲＴ等）とでは、使用する電源電圧が異なるため、遊技盤４０の交換に伴って電源中継基板１６３の電源端子の種類又は数を変更する必要があるところ、遊技盤４０の交換に伴って変更される電飾制御基板８７から電源線を分岐して表示制御基板７１に入力した場合には、電源中継基板１６３の電源端子の種類又は数をそのままにして電源中継基板１６３の電源端子と電飾制御基板８７の電源端子とを必要な電圧の配線だけを接続するようにすれば、電源中継基板１６３の電源端子の種類又は数を変更する必要がないからである。」　
　「【０１２６】図１８に示す回路構成（以下、これを第三回路構成という）は、第二回路構成の図１６に示す回路構成に相当するものであるが・・・、第二回路構成と相違する点は、表示制御基板７１に主基板１２０から直接電源が供給される点、表示制御基板７１によって制御される表示器がドラム等の機械的な可変表示装置に代えて、ＬＥＤ，ＬＣＤや液晶等の電気的な可変表示装置である図柄表示器２５４である点である。・・・」　
　　
　また、弾球遊技機の背面図である【図２】には「弾球遊技機１の下部に、払出制御基板１９１を内蔵する払出制御基板ボックス１９０が配設」が示され、遊技盤の背面構造を示す斜視図である【図３】には「遊技盤４０の背面側に配設された、主基板ボックス１１０（遊技制御基板ボックス）と、表示制御基板ボックス７０と、電飾制御基板ボックス８６と、効果音制御基板ボックス９４」が示されている。　
　
　したがって、これらの記載をまとめると、引用刊行物１には、
「外枠２と、該外枠２の一側に開閉自在に軸支され且つ遊技盤４０と機構板１５０とが設けられる前面枠３と、該前面枠３の前面上部に開閉自在に設けられるガラス板保持枠４とから構成され、新しい機種の入れ替えの際に、遊技盤４０の入れ替えと、各種の制御ボックスのボックスごとの回収交換が行われる、弾球遊技機１であって、
　遊技盤４０の背面側に、特別可変表示装置４４のドラム式可変表示部材の可変表示動作を駆動制御する表示制御基板７１を収納する表示制御基板ボックス７０を取り付けるとともに、
　主として遊技動作を制御する主基板１２０を収容する主基板ボックス１１０と、装飾ランプ６〜８、玉切れランプ９、賞球ランプ１０、装飾ＬＥＤ１１，１３，１４を表示制御する電飾制御基板８７を収容する電飾制御基板ボックス８６と、スピーカ１２ａ，１２ｂを駆動制御する効果音制御基板９５を収納する効果音制御基板ボックス９４とを１つの取付台７８によって遊技盤４０の背面側に着脱自在に取り付け、
　前面枠３には、遊技盤４０が収納固定される遊技盤収納枠３８が形成されると共に、遊技盤収納枠３８に突設される軸ピン３７に機構板１５０の掛止穴を係止することにより、機構板１５０が開閉自在に軸支され、遊技盤４０を遊技盤収納枠３８に収納固定した状態においては、その裏面から機構板１５０が被覆され、
　電源ユニット基板１６０が機構板１５０の上部構成部に設けられた電源ユニットボックス１５９の内部に収容され、
払出制御基板１９１が機構板１５０の下部構成部に取り付けられた払出制御基板ボックス１９０に内蔵され、
　（ａ）前記表示制御基板７１によって制御される表示器を液晶等の電気的な可変表示装置である図柄表示器２５４に代えてもよく、
　（ｂ）前記基板１２０，９５，８７の交換時において、取付台７８の脱着により３つの基板ボックス１１０，９４，８６を一括して同時に取り外し再度一括して同時に取り付けることができる、弾球遊技機１。」の発明（以下、「引用発明１」という）が記載されていると認められる。
　
　本願出願前に頒布された特開２０００−２６２７０８号公報（以下、「引用刊行物２」という）には、以下の記載がある。
　「【００６１】（３）機構板の説明
次に、弾球遊技機１の背面に設けられる機構板２００の構成について図２、図１０乃至図１８を参照して説明する。・・・」、
　「【００８３】以上で、機構板２００の中間構成部についての説明を終了し、次に、機構板２００の下部構成部について図２，図１０，図１１，図１６乃至図１８を参照して詳細に説明すると、下部構成部は、図２に示すように、背面から見てその右側部分に払出制御基板３０１を収容する払出制御基板ボックス３００が取り付けられ、背面から見てその左側部分に電源ユニット基板３２５を収容する電源ユニットボックス３２４と主基板３５１を収容する主基板ボックス３５０とが重畳的に取り付けられている。・・・」。　
　
　また、弾球遊技機の背面図である【図２】には「弾球遊技機１の下部に、払出制御基板３０１を収容する払出制御基板ボックス３００と、電源ユニット基板３２５を収容する電源ユニットボックス３２４とを配設」した事項が示されている。
　
　したがって、引用刊行物２には、
「機構板２００の下部に、払出制御基板３０１を収容する払出制御基板ボックス３００と、電源ユニット基板３２５を収容する電源ユニットボックス３２４とを取り付けた、弾球遊技機１。」の発明（以下、「引用発明２」という）が記載されていると認められる。
　
　本願出願前に頒布された特開２０００−１６７１９５号公報（以下、「引用刊行物３」という）には、以下の記載がある。
　「【０００７】図１を参照し、パチンコ機の背部における部品配置について説明する。機枠１の上部には、賞球タンク２と枠用外部情報端子板３と音声中継基板４と表示灯中継基板５と賞球払出中継基板６とが裏機構板７を介して取付けられている。・・・機枠１の下部には、電源装置１０と発射制御部１１と賞球制御部１２とインターフェース基板１３とが取付けられている。・・・」、
　「【００１０】・・・主制御部１５から賞球制御部１２に入力されるコマンドには、指示賞球払出数、賞球停止、発射制御部１１への発射許可及び発射禁止等がある。」。　
　
　また、部品配置を示す裏面図である【図１】には、「裏機構板７の下部に電源装置１０と賞球制御部１２とを配設」した事項が示されている。
　
　したがって、引用刊行物３には、
「裏機構板７の下部には、電源装置１０と賞球制御部１２とが取付けられている、パチンコ機。」の発明（以下、「引用発明３」という）が記載されていると認められる。
　　
　本願出願前に頒布された特開２０００−２０２１３１号公報（以下、「引用刊行物４」という）には、以下の記載がある。
　「【００２６】図４は、前記の機構板１０２の裏面に取り付けられている制御基板ケース８４、厳密に言えば、内部に主基板８２等を収容した制御装置１２０の全体構成を示す斜視図である。図において、制御基板ケース８４は、後述するように内部に備えられる主基板８２等の表面および裏面に位置させられた上カバー１２２および下カバー１２４から構成されている。・・・そのため、制御基板ケース８４内には、主基板８２および副基板１２６が、それぞれ表面の一部・・・を露出させられた状態で収容されている。・・・
【００２７】・・・主基板８２は、前記の図柄表示装置４０、普通電動役物４２、大入賞口４６、および普通図柄表示装置５０等の動作や、当たり判定、大当たり判定、入賞判定、或いは賞球払出し数の決定等の遊技制御機能を有する制御回路が設けられたものである。一方、副基板１２６は、その主基板８２によって制御される遊技を演出するために、上記の各動作或いは判定内容に応じて発光や効果音の発生等を制御する制御回路が設けられたものである。・・・主基板８２は、賞球の払出しに関連する機能、更に詳しく言えば、大当たり判定や賞球の払出し数を決定する機能を有し、副基板１２６はそのような機能を有していない。本実施例においては、固有制御回路が２枚の基板８２、１２６に分離されており、主基板８２が第１の基板に、副基板１２６が第２の基板にそれぞれ相当する。・・・」。
　　
　また、パチンコ機の裏面図である【図２】及び全体の構成を説明する【図３】を併せると「機構板１０２の下部に、制御基板ケース８４を配設」した事項が、制御装置の上カバーを外した状態を説明する【図５】及び更に基板を下カバーから分離した状態で示す図である【図６】（ｂ）には「主基板８２と副基板１２６とが制御基板ケース８４の内部に隣接して配設」した事項が、それぞれ示されている。
　
　したがって、引用刊行物４には、
「主基板８２と副基板１２６とが、機構板１０２の下部に取り付けられた制御基板ケース８４の内部に隣接して配設されている、パチンコ機。」の発明（以下、「引用発明４」という）が記載されていると認められる。
　
　本願出願前に頒布された特開昭６２−１８３７７９号公報（以下、「引用刊行物５」という）には、以下の記載がある。
　第１頁右下欄第８行乃至第１１行には「［産業上の利用分野］
　この発明は、遊技機の制御基板に関し、特に、遊技盤が取替え可能な弾球遊技機に最適な制御基板に関するものである。」と、　
　第２頁左下欄第１３行乃至右下欄第１４行には「この発明は、回路基板を、多種類の遊技機で共通的に使用できる共通回路部を備える共通回路基板と、各種類別の遊技機に特有の制御をするための種類別回路部を備える種類別回路基板とで構成し、種類別回路基板を共通回路基板に対して着脱自在にしたものである。
・・・
　第１図は、この発明の第１の実施例を示す斜視図である。第１の実施例の制御基板１０は、共通回路基板１２と種類別回路基板１４とに分割され、両者はコネクタ部１６と１８とによって着脱自在にされている。そして、共通回路基板１２と種類別回路基板１４とからなる制御基板１０は、共通の基板ボックス２０．２２に収納されている。・・・」と、　
　第３頁右上欄第２０行乃至左下欄第３行には「共通回路基板１２と種類別回路基板１４とからなる制御基板１０は、基板ボックス２０，２２に収められている。基板ボックスは、ボックス下蓋２０とボックス上蓋２２とからなっている。・・・」と、記載されている。　
　
　また、第１の実施例を示す図である第１図には、「共通回路基板１２と種類別回路基板１４とが隣接して配設」の事項が示されている。
　
　したがって、引用刊行物５には、
「多種類の遊技機で共通的に使用できる共通回路部を備える共通回路基板１２と、各種類別の遊技機に特有の制御をするための種類別回路部を備える種類別回路基板１４とが、隣接して共通の基板ボックスに収納されている、弾球遊技機。」の発明（以下、「引用発明５」という）が記載されていると認められる。　
　
　本願出願前に頒布された特開２０００−２４５９３８号公報（以下、「引用刊行物６」という）には、以下の記載がある。
　「【００１２】本実施形態に係る弾球遊技機１は、長方形枠状に成形された木枠２の前面に額縁状に成形された前枠３および金枠（図示せず）を備え、その内側に遊技盤１９・・・を配備した通常の弾球遊技機１である。図１および図２に示すように、前枠３の裏面には、その開口部の周縁部においてベース枠４が組み付けられている。このベース枠４の枠内には遊技盤１９（図２）が着脱可能に嵌め込まれている。この遊技盤１９の裏面の中央部には、後述する上誘導樋ユニット２０及び下誘導樋ユニット４０等が組み付けられている（図２）と共に、これら上誘導樋ユニット２０及び下誘導樋ユニット４０を覆うようにして裏カバー体１５が開閉可能に装着されている（図１）。また、遊技盤１９の下方には遊技球発射装置５が装着されている。一方、図１に示すように、遊技盤１９の後方の周縁部には裏セット機構９が配設されている。裏セット機構９の主体部をなす裏セット板１０は、裏カバー体１５の周囲を取り囲むようにして枠状に構成されている。そして、裏セット板１０は、その一方の側（図１の向かって右側）において裏セットヒンジ８によってベース枠４の一側に開閉可能に組み付けられている。さらに、裏セット板１０は、その自由端側（図１の向かって左側）において複数の締め具４ａによってベース枠４に対し脱着可能に締め付けられている。これによって裏セット板１０はベース枠４に対して閉じ状態に保持されている。なお、ベース枠４に嵌込まれた遊技盤１９は閉じ状態の裏セット板１０に押し付けられて保持されている。」。
　
　したがって、引用刊行物６には、
「前枠３の開口部の裏面周縁部にベース枠４が組み付けられ、ベース枠４の枠内に遊技盤１９が着脱可能に嵌め込まれている弾球遊技機１であって、ベース枠４の一側に開閉可能に組み付けられている裏セット板１０は複数の締め具４ａによってベース枠４に対し閉じ状態に保持され、ベース枠４に嵌込まれた遊技盤１９は閉じ状態の裏セット板１０に押し付けられて保持されている、弾球遊技機１。」の発明（以下、「引用発明６」という）が記載されていると認められる。
　
　本願出願前に頒布された特開平８−７１２３１号公報（以下、「引用刊行物７」という）には、以下の記載がある。
　「【００１０】
【実施例】・・・図において、１はパチンコ機の前面枠、２は前面枠１の裏面側に取付けられた遊技盤取付枠、３は遊技盤、４は遊技盤３の裏面に装着された機構板である。
【００１１】前記遊技盤取付枠２は、図３に示すように遊技盤３の下端を支持する下部枠部５と、該下部枠部５の両側部より上方に門形状に形成された上部枠部６とが合成樹脂により一体的に形成されている。前記上部枠部６の裏面側には遊技盤３の前面周縁を当接する段部７と該段部７に遊技盤３を位置規制して取付けるための突出部８が設けられている。また、下部枠部５および上部枠部６の裏面側の一側には機構板４の取付金具９，９がそれぞれ取付けられており、機構板４に取付けられた可動金具１０，１０を連結させることにより該機構板４を開閉自在に取付けている。
【００１２】また、下部枠部５および上部枠部６の裏面側には機構板４を遊技盤３の裏面に密着固定させるための複数の固定部材１１が取付けられており、機構板４には該固定部材１１のフック部１１ａが挿入される透孔１２が穿設されている。そして、機構板４の裏側に回動自在に枢支された係止レバー１３の係止部１３ａを固定部材１１のフック部１１ａに係合させることにより遊技盤３と機構板４とを遊技盤取付枠２に押圧固定するようにされている。」。
　
　したがって、引用刊行物７には、
「前面枠１、前面枠１の裏面側に取付けられた遊技盤取付枠２、遊技盤３、遊技盤３の裏面に装着された機構板４を備え、
　前記遊技盤取付枠２は、遊技盤３の下端を支持する下部枠部５と、該下部枠部５の両側部より上方に門形状に形成された上部枠部６とが一体的に形成され、下部枠部５および上部枠部６の裏面側には機構板４を遊技盤３の裏面に密着固定させるための複数の固定部材１１が取付けられ、
　機構板４の裏側に回動自在に枢支された係止レバー１３の係止部１３ａを固定部材１１のフック部１１ａに係合させることにより遊技盤３と機構板４とを遊技盤取付枠２に押圧固定する、パチンコ機。」の発明（以下、「引用発明７」という）が記載されていると認められる。
　
第五、本願発明と引用発明１との比較・検討
　弾球遊技機が「遊技者による遊技結果に対応した価値媒体を払い出す」ことは当該技術分野においては明らかであるから、引用発明１の「弾球遊技機１」は、本願発明の「遊技者による遊技結果に対応した価値媒体を払い出す遊技機」に相当し、以下同様に、「遊技盤４０」は「遊技盤」に、「新しい機種の入れ替えの際」は「新機種導入時」に、「入れ替え」及び「回収交換」は「取り替えられる」に、「主として遊技動作を制御する主基板１２０」は「遊技機各部の動作を中心的に制御する主制御基板」に、「装飾ランプ６〜８、玉切れランプ９、賞球ランプ１０、装飾ＬＥＤ１１，１３，１４を表示制御する電飾制御基板８７」は「各種のランプやＬＥＤを駆動するランプ制御基板」に、「スピーカ１２ａ，１２ｂを駆動制御する効果音制御基板９５」は「スピーカを駆動する音声制御基板」に、「前面枠３」は「前枠」に、「機構板１５０」は「裏機構部」に、「電源ユニット基板１６０」は「電源基板」に、「払出制御基板１９１」は「払出制御基板」に、「電源ユニットボックス１５９」及び「払出制御基板ボックス１９０」は「ケース」に、「内部に収容」及び「内蔵」は「内部に配設」に、それぞれ相当する。
　そして、引用発明１における「表示制御基板７１によって制御される表示器を液晶等の電気的な可変表示装置である図柄表示器２５４に代え」た場合を考慮すれば、引用発明１の「特別可変表示装置４４のドラム式可変表示部材の可変表示動作を駆動制御する表示制御基板７１」は、本願発明の「液晶ディスプレイを駆動する図柄制御基板」に相当する。
　また、引用発明１の「主基板ボックス１１０と、表示制御基板ボックス７０と、電飾制御基板ボックス８６と、効果音制御基板ボックス９４」は、「遊技盤４０の背面側に取り付け」られ、それぞれ「主基板１２０を収容、表示制御基板７１を収納、電飾制御基板８７を収容、効果音制御基板９５を収納」しているから、本願発明の「遊技盤の背面側に固定された付属部材」及び「付属部材として、主制御基板と、図柄制御基板と、ランプ制御基板と、音声制御基板とを設け、」の技術事項を有していると認められる。また、引用発明１の「遊技盤４０」及び「主基板ボックス１１０と、表示制御基板ボックス７０と、電飾制御基板ボックス８６と、効果音制御基板ボックス９４」は、新しい機種の入れ替えの際に、遊技盤４０の入れ替えと、各種の制御ボックスのボックスごとの回収交換が行われるのであるから、本願発明の「遊技盤及びこの背面側に固定された付属部材からなり新機種導入時に取り替えられる部分」の技術事項を有していると認められ、さらに、引用発明１の「弾球遊技機１」は、「外枠２と、遊技盤４０と機構板１５０とが設けられる前面枠３と、ガラス板保持枠４とから構成」され、新しい機種の入れ替えの際に、遊技盤４０の入れ替えが行われるのであるから、本願発明の「遊技機を、遊技盤及びこの背面側に固定された付属部材からなり新機種導入時に取り替えられる部分と、それ以外の部分とで構成」及び「取り替えられる部分以外の部分に含まれる前枠」の技術事項を有していると認められる。また、引用発明１の「遊技盤収納枠３８に突設される軸ピン３７に機構板１５０の掛止穴を係止することにより、機構板１５０が開閉自在に軸支され」は、「前面枠３に遊技盤収納枠３８が形成され」ているのであるから、本願発明の「前枠には、裏機構部がヒンジ結合によって開放可能に装着され」の技術事項を有していると認められる。また、引用発明１の「前面枠３には、遊技盤４０が収納固定される遊技盤収納枠３８が形成されると共に、遊技盤４０を遊技盤収納枠３８に収納固定した状態においては、その裏面から機構板１５０が被覆され、」は、遊技者が遊技盤を見ながら遊技を行うことを考慮すれば「遊技盤収納枠３８が開口窓を備えている」ことは明らかであるから、本願発明の「前枠には、遊技盤が装着される開口窓が設けられる」及び「遊技盤が前枠の開口窓に固定される」の技術事項を有していると認められる。
　そうすると、両者の一致点及び相違点は次のとおりである。
　
　一致点
　遊技者による遊技結果に対応した価値媒体を払い出す遊技機であって、前記遊技機を、遊技盤及びこの背面側に固定された付属部材からなり新機種導入時に取り替えられる部分と、それ以外の部分とで構成し、
　前記付属部材として、遊技機各部の動作を中心的に制御する主制御基板と、液晶ディスプレイを駆動する図柄制御基板と、各種のランプやＬＥＤを駆動するランプ制御基板と、スピーカを駆動する音声制御基板とを設け、
　前記取り替えられる部分以外の部分に含まれる前枠には、前記遊技盤が装着される開口窓が設けられると共に、裏機構部がヒンジ結合によって開放可能に装着され、
　電源基板と払出制御基板とが前記裏機構部に装着されたケースの内部に配設され、前記遊技盤が前記前枠の開口窓に固定されるようになっていることを特徴とする遊技機。
　
　相違点
　（Ａ）新機種導入時に取り替えられる部分と、それ以外の部分が、本願発明ではそれぞれ販売用部分と、貸出用部分であり、電源基板と払出制御基板とが貸出し用部分に含まれるのに対し、引用発明１では販売用部分と、それ以外の貸出用部分とで構成されているのかどうか明らかでなく、電源基板と払出制御基板とが貸出し用部分に含まれるのかどうか明らかでない点。
　（Ｂ）裏機構部に装着されたケースの内部に配設されている電源基板と払出制御基板とが、本願発明では裏機構部の下部に隣接して配設されているのに対し、引用発明１ではそのような構成を有していない点。
　（Ｃ）遊技盤が前枠の開口窓に固定される手段が、本願発明では、裏機構部全体が遊技盤の裏側に押し付けられて固定されることによるのに対し、引用発明１ではそのような構成を有するかどうか明らかでない点。
　
　そこで、上記相違点について検討する。
　相違点（Ａ）について
　販売用部分とそれ以外の貸出用部分とで構成される機器は、例えば、トナーカートリッジ等の取替部分とそれ以外の本体部分とで構成される複写機等の事務機器に見られるように、ごく普通に採用されている事項である。そして、どの構成部分を販売用としどの構成部分を貸出用とするかは機器の構造に応じて適宜に決定できる商取引上の事項であるから、新機種導入時に取り替えられる部分とそれ以外の部分とで構成される引用発明に当該商取引上の事項を適用し、相違点（Ａ）に係る本願補正発明を特定する事項とすることは、当業者が容易になし得ることである。　
　相違点（Ｂ）について　　
　電源装置と払出制御装置とを裏機構部の下部に配設することは、例えば、引用発明２に示された「機構板２００の下部に、払出制御基板３０１と、電源ユニット基板３２５とを取り付け」た技術、及び引用発明３に示された「裏機構板７の下部に、電源装置１０と賞球制御部１２とを取付け」た技術のように周知・慣用の技術（以下、「周知・慣用の技術イ」という）である。また、複数の異なる基板をケースの内部に隣接して配設することは、例えば、引用発明４に示された「主基板８２と副基板１２６とを、制御基板ケース８４の内部に隣接して配設」した技術、及び引用発明５に示された「共通回路基板１２と、種類別回路基板１４とを、隣接して共通の基板ボックスに収納」した技術のように周知・慣用の技術（以下、「周知・慣用の技術ロ」という）である。そして、電源基板と払出制御基板とを遊技機のどこに配設するかは、組立て時の作業性や点検時の容易性等を考慮して当業者が適宜採用できる設計上の事項であること、及び上記周知・慣用の技術イ及びロを併せて考慮すれば、引用発明１の「電源基板（電源ユニット基板１６０）」及び「払出制御基板（払出制御基板１９１）」に周知・慣用の技術イ及びロを適用し、相違点（Ｂ）に係る本願発明を特定する事項とすることは、引用発明１及び周知・慣用の技術イ並びに周知・慣用の技術ロが遊技機において共通しているから、当業者が容易になし得ることである。
　相違点（Ｃ）について　
　裏機構部が遊技盤の裏側に押し付けられて固定されることによって、遊技盤が前枠の開口窓に固定される技術は、例えば、引用発明６に示された「閉じ状態（固定される）の裏セット板１０に押し付けられて保持されている遊技盤１９」及び引用発明７に示された「遊技盤３と機構板４とを遊技盤取付枠２の裏面側に押圧固定」のように周知・慣用の技術である。したがって、引用発明１の「裏機構部（機構板１５０）」に当該周知・慣用の技術を適用し、相違点（Ｃ）に係る本願発明を特定する事項とすることは、引用発明１及び周知・慣用の技術が遊技機において共通しているから、当業者が容易になし得ることである。
　
　また、効果においても、引用発明１は部分的な交換を行うものであるから、本願発明が格別の効果を奏するものとは認められない。
　　
第六、むすび
　以上のとおり、本願発明は、引用発明１及び周知・慣用技術に基づいて、当業者が容易に発明をすることができたものであるから、本願の他の請求項に係る発明について検討するまでもなく、本願発明は、特許法第２９条第２項の規定により、特許を受けることができない。
　よって、結論のとおり審決する。